(57)【特許請求の範囲】
【請求項１】
無線受信手段を備えて、各所に配置され携帯電話機に関する規制内容を示す警告信号を送信する警告信号送信機から前記警告信号を受信可能な警告信号受信機能付き携帯電話機であって、
警告灯を備え、
前記警告信号送信機が設置されたエリアにおいて、前記警告灯の点灯パターンを変化させることにより、携帯電話機ユーザに対して、前記規制内容と自機の状態との関係を伝達すること、
を特徴とする携帯電話機。
【請求項２】
前記点灯パターンは、前記警告灯の点灯色と点灯間隔との組み合わせである請求項１に記載の携帯電話機。
【請求項３】
前記警告信号は、少なくとも制限なし状態と通話禁止状態と操作禁止状態と通電禁止状態の４つの規制内容のいずれかを表しており、
前記警告信号に応じた少なくとも４つの点灯パターンにより前記警告灯を点灯可能であること、
を特徴とする請求項２に記載の携帯電話機。
【請求項４】
請求項１から３いずれか一に記載の携帯電話機と、無線受信手段を備えて各所に配置され携帯電話機に関する規制内容を示す警告信号を送信する警告信号送信機と、を含んで構成される携帯電話機使用警告システム。
【発明の詳細な説明】
【技術分野】
【０００１】
本発明は、携帯電話機ユーザへの使用警告を行う携帯電話機使用警告システムに関する。
【背景技術】
【０００２】
広く普及している携帯電話機は利便性が高い反面、使用する場所によっては、各種電子機器への悪影響を及ぼしたり、周囲の人への迷惑を掛けたりすることがあるため、その規制が社会的問題となっている。
【０００３】
例えば、特開２００２−３００６５６号公報には、携帯電話機の動作を制御する無線信号を送出できる携帯電話の動作制御装置と、無線装置（携帯電話機）とからなる無線装置（携帯電話機）の動作制御システムが提案されている。また、特開平１１−３０８６７５号公報には、医療施設や車内等の各所に設置された規制通知用の無線基地局から発せられる規制通知信号を検出し、自動的に電源オフ動作を行う携帯電話装置が提案されている。
【０００４】
【特許文献１】特開２００２−３００６５６号公報
【特許文献２】特開平１１−３０８６７５号公報
【発明の開示】
【発明が解決しようとする課題】
【０００５】
しかしながら、特許文献１、２の方式では、ユーザの意図に拘わらず携帯電話機を使用不可能状態に陥れてしまうものであるため、法的問題の解決やユーザへの周知徹底が図られない限り、実現困難である。
【０００６】
本発明は、上記事情に鑑みてなされたものであってその目的とするところは、携帯電話機を直接制御するのではなく、携帯電話機ユーザに間接的に働きかけることによって、上記携帯電話機にまつわる諸問題を解決することを目的とする。
【課題を解決するための手段】
【０００７】
本発明の第１の視点によれば、無線受信手段を備えて、各所に配置され携帯電話機に関する規制内容を示す警告信号を送信する警告信号送信機から前記警告信号を受信可能な警告信号受信機能付き携帯電話機であって、警告灯を備え、前記警告信号送信機が設置されたエリアにおいて、前記警告灯の点灯パターンを変化させることにより、携帯電話機ユーザに対して、前記規制内容と自機の状態との関係を伝達する携帯電話機が提供される。
【０００８】
また本発明の第２の視点によれば、携帯電話機に関する規制内容を設定する規制内容設定手段と、前記規制内容に応じた警告信号を送信する送信手段と、を備え、上記した警告信号受信機又は携帯電話機の警告動作を介して、携帯電話機ユーザに対して、前記警告信号送信機が設置されたエリア固有の規制内容を伝達することのできる携帯型警告信号送信機が提供される。
【０００９】
また本発明の第３の視点によれば、上記した携帯型警告信号受信機又は携帯電話機と、、警告信号送信機とからなる携帯電話機使用警告システムが提供される。
【発明の効果】
【００１０】
本発明によれば、上記警告動作を介して、携帯電話機ユーザあるいはその周囲の人々に注意を喚起し、携帯電話機に関する規制内容の周知徹底を図ることが可能となる。
【発明を実施するための最良の形態】
【００１１】
続いて、本発明を実施するための最良の形態について、図面を参照して詳細に説明する。図１は、本発明の一実施形態に係る携帯電話機使用警告システムの構成を表した図である。
【００１２】
図１を参照すると、本実施形態に係る携帯電話機使用警告システムは、図中実線の円で示された使用制限エリア（規制エリア）に、エリア毎に設定された規制内容に応じた警告信号を送信する警告信号送信機１０と、警告信号を受信した場合に所定の点灯動作を行う警告灯を備えた携帯型の警告信号受信機（警告信号受信機能付き携帯電話機を含む。）２０、３０により構成されている。従って、本発明によれば、警告手段として設けられた警告灯の点灯により、携帯電話機ユーザや周囲の人間にその警告信号で示された規制内容を伝えることが可能となる。以下、警告信号送信機１０と、警告信号受信機２０、３０の詳細構成について順次説明する。
【００１３】
図２は、警告信号送信機１０の詳細構成を表したブロック図である。図２を参照すると、警告信号送信機１０は、通話を行わないよう依頼する「通話制限」、通話を含む一切の操作を行わないよう依頼する「操作制限」、電源のオフを依頼する「電源（通電）制限」といった規制内容をオンオフにて設定するための制限事項設定スイッチ部１１と、クロック回路１６からのクロック信号により制限事項設定スイッチ部１１のオンオフ状態に応じた警告信号を生成する符号器１２と、警告信号を変調する変調器１３と、例えば近距離無線通信方式で変調器により生成された警告電波を無線送信する送信器１４と、電源及びスイッチ部１５と、を備えて構成される。
【００１４】
なお、警告信号送信機１０は、商用電源又は蓄電池を用いて、固定据付型、可搬型、携帯型といった各種形態を採ることができる。例えば、固定据付型の警告信号送信機は、病院内、車両内等、携帯電話機の使用が周囲の人への迷惑になる場所に好適に設置することができる。また、蓄電池を電源とすることにより、携帯型の警告信号送信機を構成することもでき、警告信号受信機能を有さない一般の携帯電話機のユーザや、医療電子機器を装着している人が携帯する用途に好適である。
【００１５】
また、警告電波の送信電力に応じて、図１の使用制限エリアの広狭を調整することが可能であるが、例えば、極狭い範囲で使用を制限したい場合は、微弱電力で足りることとなる。
【００１６】
図３は、警告信号受信機２０の詳細構成を表したブロック図である。図３を参照すると、警告信号受信機２０は、警告信号送信機１０から送信された警告電波を受信する受信器２１と、警告電波から警告信号を取り出す復調器２２と、警告電波の受信レベルを検出するレベル検出器２３と、警告信号を復号する復号器２４と、レベル検出器２３や復号器２４からそれぞれ警告電波の受信有無や警告信号の値を用いて、多色発光ダイオード２８よりなる警告灯に電流を流すことによって駆動する制御回路２５と、復号器２４や制御回路２５にクロック信号を与えるクロック回路２６と、電源部２７とを備えて構成される。
【００１７】
図４は、警告信号受信機能付き携帯電話機３０の詳細構成を表したブロック図である。図４を参照すると、警告信号受信機能付き携帯電話機３０は、送受信部４１、送受話部４２、操作入力部４３、制御部４４、主電源及びスイッチ４５、配電部４６よりなる携帯電話コア４０と、上記した警告信号受信機２０と同様の受信器３１と、復調器３２と、レベル検出器３３と、復号器３４と、多色発光ダイオード３８を駆動する制御回路３５と、クロック回路３６と、上記携帯電話コアの配電部４６から給電を受ける受電部３７とを備えて構成される。
【００１８】
なお、警告信号受信機能付き携帯電話機３０は、一般の携帯電話機と同様、通信網（携帯電話網）１００の基地局１１０に接続して、電話通信機能、電子メール送受信機能、インターネット接続機能を利用することが可能となっている。
【００１９】
このような警告信号受信機能付き携帯電話機３０に対しては、通話制限と操作制限の警告電波を送信することにより、多色発光ダイオード３８を点灯させ、その動作状態を確認することができる。これにより、運転中の携帯電話機の使用の取締りや、試験中の携帯電話機電源状態の確認をすることが可能となる。
【００２０】
続いて、上記警告信号受信機２０、警告信号受信機能付き携帯電話機３０における警告動作のパターンについて説明する。図５は、警告信号送信機１０、警告信号受信機２０、警告信号受信機能付き携帯電話機３０の各状態と、警告信号の内容による多色発光ダイオード２８、３８の点灯パターンの関係を表した図である。以下、図５の警告信号送信機１０の状態毎に警告信号受信機２０、警告信号受信機能付き携帯電話機３０の動作を説明する。
【００２１】
［送信なし］
警告信号送信機１０からの警告信号が送られていない状態（図５の「送信なし」）、あるいは、警告信号受信機２０、警告信号受信機能付き携帯電話機３０が自宅や公園等の警告信号送信機１０が置かれていない場所にある場合は、警告電波のレベルが所定値以下であるため、警告信号受信機２０、警告信号受信機能付き携帯電話機３０のいずれとも多色発光ダイオード２８、３８を消灯したままである。
【００２２】
［警告信号（制限なし）を送信中］
車両内、オフィス、レストラン内等の警告信号送信機１０が設置されている場所であるが周囲の人に迷惑を掛けない状況である場合に、警告信号（制限なし）が送信される。警告信号送信機１０から警告信号（制限なし）を受信した警告信号受信機２０及び警告信号受信機能付き携帯電話機３０は、多色発光ダイオード２８、３８の緑の発光ダイオードを緩やかな間隔で点滅させる。更に、警告信号受信機能付き携帯電話機３０のうち操作中や通話中の携帯電話機３０は、付近に警告信号送信機が設置された使用制限エリアであることをユーザに知らせるべく、緑の発光ダイオードを早い間隔で点滅させる。
【００２３】
［警告信号（通話制限中）を送信中］
通話を制限する旨の警告信号（通話制限中）は、映画館、美術館、通勤電車内等で送信される。警告信号送信機１０から通話を制限する旨の警告信号（通話制限中）を受信した警告信号受信機２０及び警告信号受信機能付き携帯電話機３０は、現在地が通話禁止のエリアであることをユーザに知らせるべく、多色発光ダイオード２８、３８の黄色の発光ダイオードを緩やかな間隔で点滅させる。
【００２４】
更に、通話を制限する旨の警告信号（通話制限中）を受信した警告信号受信機能付き携帯電話機３０のうち操作中の携帯電話機３０は、メール等の操作から通話操作に移行しないようユーザに注意を喚起すべく、黄色の発光ダイオードをより早い間隔で点滅させる。更に、現に通話中の携帯電話機３０は、通話を中止すべき旨ユーザに注意を喚起すべく、赤の発光ダイオードを早い間隔で点滅させる。
【００２５】
［警告信号（操作制限中）を送信中］
操作を制限する旨の警告信号（操作制限中）は、混雑した狭い歩道や駅のコンコース・プラットホーム等で送信される。警告信号送信機１０から警告信号（操作制限中）を受信した警告信号受信機２０及び警告信号受信機能付き携帯電話機３０は、現在地が操作禁止のエリアであることをユーザに知らせるべく、多色発光ダイオード２８、３８の赤色の発光ダイオードを緩やかな間隔で点滅させる。
【００２６】
更に、操作を制限する旨の警告信号（操作制限中）を受信した警告信号受信機能付き携帯電話機３０のうち、現に操作が行われている携帯電話機３０は、通話を中止すべき旨ユーザに注意を喚起すべく、赤の発光ダイオードを早い間隔で点滅させる。また、現に通話中の携帯電話機３０も、通話を中止すべき旨ユーザに注意を喚起すべく、黄の発光ダイオードを早い間隔で点滅させる。
【００２７】
［警告信号（通電制限中）を送信中］
通電を制限する旨の警告信号（通電制限中）は、病院内、車両の優先席付近、航空機内等で送信される。警告信号送信機１０から通電を制限する旨の警告信号（通電制限中）を受信した警告信号受信機２０及び警告信号受信機能付き携帯電話機３０は、現在地が通電禁止のエリアであることをユーザに知らせるべく、多色発光ダイオード２８、３８の赤色の発光ダイオードを速い間隔で点滅させる。
【００２８】
通電を制限する旨の警告信号（操作制限中）が送信されている場合は、当然に操作や通話が制限されているため、操作中であっても通話中であっても、携帯電話機３０は、赤の発光ダイオードの点滅パターンを変更することはない。赤色の発光ダイオードの点灯は、警告信号受信機能付き携帯電話機３０の電源をオフにすることによってのみ終了する。また、医療電子機器を装着している人にとっては、赤色の発光ダイオードが点灯している警告信号受信機２０の付近にいること、赤色の発光ダイオードが点灯している携帯電話機を所持している者から離れることによって、その安全を確保することが可能となる。
【００２９】
以上の例では、緑、黄、赤の３色の発光ダイオードにて、警告の度合い（緑、黄、赤の順で強い警告を表す）を表し、その点滅間隔にて、自らの動作状態（待受中、操作中、通話中）に応じた警告内容（緩やかな点滅は不作為（状態保持）、速い点滅は作為（操作終了、終話、電源オフ））を表しており、交通信号と同様に、具体の意味を知らずともおおよその意味を把握できる体系となっている。
【００３０】
また、図５には省略してあるが通話と操作の双方を制限する旨の警告信号が送信されている場合等、２つ以上の規制内容が送られている場合には、より警告の度合いが高い方の点灯動作を優先して行うことにより、規制内容をより的確に伝達することが可能となる。
【００３１】
以上、本発明の好適な実施形態を説明したが、本発明の技術的範囲は、上述した実施形態に限定されるものではなく、警告信号を送信することにより、警告信号受信機に所定の警告動作を行わせるという本発明の要旨を逸脱しない範囲で、各種の変形・置換をなしうることが可能であることはいうまでもない。
【００３２】
例えば、図５をより簡略化すれば、発光ダイオードを減らすこともできるし、その他の色の発光ダイオードを用意したり、点滅間隔に一定のリズムを持たせたりすることにより、携帯電話機のその他の状態（マナーモードであるか否か）に応じた多彩な規制内容を表現することが可能となる。また、上記警告灯と併せて、あるいは、警告灯に代えて、警告音等を出力させるようにすれば、より警告効果を上げることができる。
【図面の簡単な説明】
【００３３】
【図１】本発明の一実施形態に係る携帯電話機使用警告システムの概略構成を表した図である。
【図２】本発明の一実施形態に係る警告信号送信機の詳細構成を表したブロック図である。
【図３】本発明の一実施形態に係る警告信号受信機の詳細構成を表したブロック図である。
【図４】本発明の一実施形態に係る警告信号受信機能付き携帯電話機の詳細構成を表したブロック図である。
【図５】本発明の一実施形態に係る携帯電話機使用警告システムの各装置の状態と、警告パターンの関係を表した図である。
【符号の説明】
【００３４】
１０  警告信号送信機
１１  制限事項設定スイッチ部
１２  符号器
１３  変調器
１４  送信器
１５  電源及びスイッチ部
１６、２６、３６  クロック回路
２０  警告信号受信機
２１、３１  受信器
２２、３２  復調器
２３、３３  レベル検出器
２４、３４  復号器
２５、３５  制御回路
２６、３６  クロック回路
２７  電源部
２８、３８  多色発光ダイオード
３０  警告信号受信機能付き携帯電話機
３７  受電部
４０  携帯電話コア
４１  送受信部
４２  送受話部
４３  操作入力部
４４  制御部
４５  主電源及びスイッチ
４６  配電部
１００  通信網
１１０  基地局
【図１】
0004661570.tif 000002
【図２】
0004661570.tif 000003
【図３】
0004661570.tif 000004
【図４】
0004661570.tif 000005
【図５】
0004661570.tif 000006